(57)【要約】【課題】背面側に別部材を取り付ける構成であるため、記録装置が大型化するという課題がある。【解決手段】用紙より剛性の高いレンズシートＬＳに記録する記録部と、装着部２０と、用紙を収容する用紙カセットと、用紙カセットから送り出された用紙を湾曲反転させて記録部へ案内する湾曲反転経路を有し、湾曲反転経路の構成部材がユニット化され、装着部２０に着脱可能に備えられる用紙反転ユニット４０と、を備え、装着部２０には、レンズシートＬＳを直線搬送可能なレンズシート給送ユニット７０が装着され、レンズシートＬＳを記録部によって記録を行う記録装置を提供する。【選択図】図３
2015120319.tif 000002
【特許請求の範囲】
【請求項１】
装置本体と、前記装置本体に設けられ、第１の被記録媒体、前記第１の被記録媒体より剛性の高い第２の被記録媒体に記録する記録部と、
前記第１の被記録媒体及び前記第２の被記録媒体を搬送可能にする搬送装置を装着する装着部と、
前記第１の被記録媒体を収容する第１の被記録媒体収容部と、
前記第１の被記録媒体収容部から送り出された前記第１の被記録媒体を湾曲反転させて前記記録部へ案内する湾曲反転経路を有し、前記湾曲反転経路の構成部材がユニット化され、前記装着部に着脱可能に備えられる第１搬送装置と、を備え、
前記装着部には、前記第２の被記録媒体を直線搬送可能な第２搬送装置が装着され、前記第２の被記録媒体を前記記録部によって記録を行うことを特徴とする記録装置。
【請求項２】
請求項１に記載の記録装置であって、
前記第２搬送装置は、前記第２の被記録媒体を載置するトレイを搬送することを特徴とする記録装置。
【請求項３】
請求項１または請求項２に記載の記録装置であって、
前記第２の被記録媒体は、装置前面または背面から搬送されることを特徴とする記録装置。
【請求項４】
請求項２に記載の記録装置であって、
前記記録部に備えられて、液体を噴射する液体噴射ヘッドと、
前記液体噴射ヘッドと対向する位置に、前記第２の被記録媒体または前記トレイを支持する支持面を有する支持部材と、を備え、
前記第２搬送装置の装着時において、前記第２搬送装置の搬送面と、前記支持部材の前記支持面とは略同一面で形成されることを特徴とする記録装置。
【請求項５】
請求項１から請求項４のいずれか一項に記載の記録装置であって、
前記第２搬送装置は、前記第２の被記録媒体または前記トレイを押圧する押圧ローラーを備えることを特徴とする記録装置。
【請求項６】
請求項１から請求項５のいずれか一項に記載の記録装置であって、
前記第２搬送装置は、前記第２の被記録媒体を搬送する搬送駆動ローラーを備えることを特徴とする記録装置。
【請求項７】
請求項６に記載の記録装置であって、
前記搬送駆動ローラーは、前記第１の被記録媒体を搬送する駆動力によって、駆動されることを特徴とする記録装置。
【請求項８】
請求項１から請求項７のいずれか一項に記載の記録装置であって、
前記第２搬送装置は、前記第２の被記録媒体の搬送方向と交わる方向の端部の位置を規制するとともに、前記第２の被記録媒体の搬送方向をガイドするガイド部を備えることを特徴とする記録装置。
【請求項９】
請求項１から請求項８のいずれか一項に記載の記録装置であって、
前記第２搬送装置は、前記第２の被記録媒体の搬送方向と交わる方向において、前記第２の被記録媒体の凹凸部と嵌合する嵌合部を備えることを特徴とする記録装置。
【請求項１０】
請求項１から請求項９のいずれか一項に記載の記録装置であって、
前記第１搬送装置は、被記録面が反転された姿勢の前記第１の被記録媒体を搬送することを特徴とする記録装置。
【請求項１１】
請求項１から請求項１０のいずれか一項に記載の記録装置であって、
前記第２の被記録媒体は、視差変化による立体視可能な画像を形成する構成を備えることを特徴とする記録装置。
【請求項１２】
請求項１から請求項１１のいずれか一項に記載の記録装置であって、
前記第１の搬送装置は、傾斜した姿勢で前記第１の被記録媒体を収容する第２の被記録媒体収容部を有し、
前記第２の被記録媒体収容部から前記記録部へ前記第１の被記録媒体を搬送する搬送経路を備えることを特徴とする記録装置。
【発明の詳細な説明】
【技術分野】
【０００１】
本発明は、記録装置に関する。
【背景技術】
【０００２】
複数の凸レンズを配置したレンチキュラーレンズを備えたレンズシートに印刷画像を形成し、このレンチキュラーレンズの側からレンズシートを視認すると、立体感のある画像として視認できるようにした記録装置がある。例えば、特許文献１では、レンチキュラーレンズを備えたレンズシートにインクを噴射して印刷画像を形成する専用の記録装置が開示されている。
レンズシートに印刷画像を形成する専用の記録装置は、印刷可能な被記録媒体が限定されるため、記録装置としての製造コストが高くなる。そこで、例えば、特許文献２では、印刷用紙などの通常の被記録媒体が搬送可能であり、背面側に別部材を取り付け、レンズシートを搬送する記録装置が開示されている。
【先行技術文献】
【特許文献】
【０００３】
【特許文献１】特開２００９−９６１００号公報
【特許文献２】特開２００７−１３０７６９号公報
【発明の概要】
【発明が解決しようとする課題】
【０００４】
しかしながら、特許文献２の記録装置は、背面側に別部材を取り付ける構成であるため、記録装置が大型化するという課題がある。また、記録装置の正面側から被記録媒体を給送することができないという課題がある。
【課題を解決するための手段】
【０００５】
本発明は、上述の課題の少なくとも一部を解決するためになされたものであり、以下の形態または適用例として実現することが可能である。
【０００６】
［適用例１］装置本体と、前記装置本体に設けられ、第１の被記録媒体、前記第１の被記録媒体より剛性の高い第２の被記録媒体に記録する記録部と、前記第１の被記録媒体及び前記第２の被記録媒体を搬送可能にする搬送装置を装着する装着部と、前記第１の被記録媒体を収容する第１の被記録媒体収容部と、前記第１の被記録媒体収容部から送り出された前記第１の被記録媒体を湾曲反転させて前記記録部へ案内する湾曲反転経路を有し、前記湾曲反転経路の構成部材がユニット化され、前記装着部に着脱可能に備えられる第１搬送装置と、を備え、前記装着部には、前記第２の被記録媒体を直線搬送可能な第２搬送装置が装着され、前記第２の被記録媒体を前記記録部によって記録を行うことを特徴とする記録装置。
【０００７】
本適用例によれば、第１の被記録媒体収容部から送り出された第１の被記録媒体を湾曲反転させて記録部へ案内する湾曲反転経路を有し、湾曲反転経路の構成部材がユニット化され、装着部に着脱可能に備えられる第１搬送装置を備え、装着部には、第２の被記録媒体を直線搬送可能な第２搬送装置が装着され、第２の被記録媒体を記録部によって記録を行う。これにより、記録装置は、大型化することなく、第１の被記録媒体および第１の被記録媒体より剛性の高い第２の被記録媒体を搬送させることができる。
【０００８】
［適用例２］前記第２搬送装置は、前記第２の被記録媒体を載置するトレイを搬送することを特徴とする上記記録装置。
【０００９】
本適用例によれば、トレイに載置された状態で搬送することによって第２の被記録媒体の位置が変動することを抑制できる。
【００１０】
［適用例３］前記第２の被記録媒体は、装置前面または背面から搬送されることを特徴とする上記記録装置。
【００１１】
本適用例によれば、第２の被記録媒体を装置本体の外側から内部に給送する方向において、使用者にとっての選択肢が増えるとともに、記録装置が大型化することを抑制できる。
【００１２】
［適用例４］前記記録部に備えられて、液体を噴射する液体噴射ヘッドと、前記液体噴射ヘッドと対向する位置に、前記第２の被記録媒体または前記トレイを支持する支持面を有する支持部材と、を備え、前記第２搬送装置の装着時において、前記第２搬送装置の搬送面と、前記支持部材の前記支持面とは略同一面で形成されることを特徴とする上記記録装置。
【００１３】
本適用例によれば、第２の被記録媒体は曲げられることなく搬送されるので、第２の被記録媒体が損傷したり、搬送面や支持面で停止することがない。
【００１４】
［適用例５］前記第２搬送装置は、前記第２の被記録媒体または前記トレイを押圧する押圧ローラーを備えることを特徴とする上記記録装置。
【００１５】
本適用例によれば、第２の被記録媒体が移動することを抑制する。
【００１６】
［適用例６］前記第２搬送装置は、前記第２の被記録媒体を搬送する搬送駆動ローラーを備えることを特徴とする上記記録装置。
【００１７】
本適用例によれば、第２の被記録媒体を記録部側に搬送することができる。
【００１８】
［適用例７］前記搬送駆動ローラーは、前記第１の被記録媒体を搬送する駆動力によって、駆動されることを特徴とする上記記録装置。
【００１９】
本適用例によれば、搬送駆動ローラーを駆動するための駆動力を発生する駆動機構を別に設けなくてもよいので、記録装置が大型化することを抑制できる。
【００２０】
［適用例８］前記第２搬送装置は、前記第２の被記録媒体の搬送方向と交わる方向の端部の位置を規制するとともに、前記第２の被記録媒体の搬送方向をガイドするガイド部を備えることを特徴とする上記記録装置。
【００２１】
本適用例によれば、第２の被記録媒体に形成される画像品質の低下を抑制できる。
【００２２】
［適用例９］前記第２搬送装置は、前記第２の被記録媒体の搬送方向と交わる方向において、前記第２の被記録媒体の凹凸部と嵌合する嵌合部を備えることを特徴とする上記記録装置。
【００２３】
本適用例によれば、第２の被記録媒体の搬送方向と交わる方向において、第２の被記録媒体の位置を定めることができる。
【００２４】
［適用例１０］前記第１搬送装置は、被記録面が反転された姿勢の前記第１の被記録媒体を搬送することを特徴とする上記記録装置。
【００２５】
本適用例によれば、第１搬送装置を用いて、第１の被記録媒体の被記録面を反転させることができる。
【００２６】
［適用例１１］前記第２の被記録媒体は、視差変化による立体視可能な画像を形成する構成を備えることを特徴とする上記記録装置。
【００２７】
本適用例によれば、記録装置によって、視差変化による立体視可能な画像を第２の被記録媒体に形成することができる。
【００２８】
［適用例１２］前記第１の搬送装置は、傾斜した姿勢で前記第１の被記録媒体を収容する第２の被記録媒体収容部を有し、前記第２の被記録媒体収容部から前記記録部へ前記第１の被記録媒体を搬送する搬送経路を備えることを特徴とする上記記録装置。
【００２９】
本適用例によれば、第２の被記録媒体を装置本体の外側から内部に給送する方向において、使用者にとっての選択肢が増えるとともに、記録装置が大型化することを抑制できる。
【図面の簡単な説明】
【００３０】
【図１】記録装置の外観斜視図。
【図２】記録装置の外観斜視図。
【図３】（ａ）は、用紙反転ユニットが抜き取られた状態での記録装置の斜視図、（ｂ）は、用紙反転ユニットの斜視図、（ｃ）は、レンズシート給送ユニットの斜視図。
【図４】用紙反転ユニットを装着した状態での記録装置の概略構成を示す断面図。
【図５】レンズシート給送ユニットを装着した状態での記録装置の外観斜視図。
【図６】（ａ）は、レンズシート給送ユニットの斜視図、（ｂ）は、シートガイドの一部を示す図、（ｃ）は、シートガイドとレンズシートの断面図。
【図７】レンズシート給送ユニットによりレンズシートを給送する状態を示す断面図。
【図８】（ａ）は、レンズシートをレンチキュラーレンズ側から見た図、（ｂ）は、レンズシートの概略構成を示す断面図。
【図９】用紙の搬送経路が交差する部分を、記録部の副走査方向における下流側に設けた記録装置の概略構成を示す図。
【図１０】レンズシートを搭載したトレイを示す図。
【発明を実施するための形態】
【００３１】
以下、記録装置の一実施形態について、図面に従って説明する。図１（ａ）は、本実施形態における記録装置１の正面側から見た外観斜視図である。図１（ｂ）は、本実施形態における記録装置１の背面側から見た外観斜視図である。記録装置１は、複数の筐体によって囲まれた略直方体形状を呈する筐体５内に、インクを噴射して画像を記録する記録部１３を備える。記録部１３は、インクを噴射する液体噴射ヘッド３を備え、キャリッジモーター（不図示）の駆動に伴って、ガイド部材４に沿って主走査方向Ｘに往復移動するキャリッジ２を含んで構成される。
【００３２】
筐体５の正面側には、記録部１３を操作するための操作パネル６が配置され、鉛直方向Ｚにおける操作パネル６の上面側には、画像読取部１１が配設されている。使用者は、筐体５の上部に設けられたカバー１０を回動させ、読み取り対象となる原稿などを原稿台（不図示）に載置し、画像を読み取らせることができる。
【００３３】
操作パネル６はメニュー画面等を表示するための表示部（例えば液晶ディスプレイ）や操作部（例えば操作ボタン）などを備えている。操作パネル６は、その上方側に設けられたヒンジなどの回転機構によって下方側が前方に持ち上げられて開く構成とされ、筐体５に開閉可能に取り付けられている。
【００３４】
記録部１３の下方には、用紙Ｐ１を積層状態で載置する用紙カセット１２が備えられる。操作パネル６の下方には、前面蓋部７が下部を支点として回動可能に備えられ、用紙カセット１２は、前面蓋部７が前面側に回動して開いた状態で、筐体５に対して挿抜可能に備えられる。用紙カセット１２に載置された用紙Ｐ１は、記録部１３に送られて記録され、副走査方向Ｙにおける下流側（以降は、下流側という）に排出される。
【００３５】
図２（ａ）、（ｂ）は、記録装置１の背面側上部に設けられた開閉蓋９が回動し開いた状態を示す。使用者は、開閉蓋９を回動させ、差込口８から手差しで一枚ずつ用紙Ｐ２を挿入する。差込口８から挿入された用紙Ｐ２は、記録部１３に送られて、記録され下流側に排出される。
【００３６】
図３（ａ）は、用紙反転ユニット４０が筐体５に設けられた装着部２０から後方へ抜き取られた状態で、背面側から見た記録装置１の斜視図である。図３（ｂ）は、用紙反転ユニット４０の斜視図である。
【００３７】
記録装置１の背面側の用紙カセット１２の上方には、用紙の反転機構を備えた用紙反転ユニット４０が、装着部２０に対して着脱可能に備えられる。用紙反転ユニット４０は、図１（ａ）の用紙カセット１２に載置された用紙Ｐ１が、記録部１３に向かって搬送されるときや、図２（ａ）の差込口８から挿入された用紙Ｐ２が記録部１３に向かって搬送されるときの、搬送経路を有する。
【００３８】
また、用紙反転ユニット４０の搬送経路は、記録部１３へ供給される用紙Ｐ１，Ｐ２の両面に記録を行うために、用紙Ｐの表裏の面を反転つまり被記録面を反転させる際の搬送経路となる。
【００３９】
用紙反転ユニット４０には、使用者が指先を挿入して把持動作することで主走査方向Ｘにスライド移動する一対の操作部４１が設けられる。使用者がこの操作部４１を互いに近づくようにスライド移動させることで筐体５との係止状態が解除され、筐体５から用紙反転ユニット４０を後方へ抜き取ることができる。
【００４０】
図４は、用紙反転ユニット４０を装着部２０に装着した状態で、主走査方向Ｘから見た記録装置１の概略構成を示す断面図である。記録部１３の上方には、カバー１０を上部に備えた画像読取部１１が配置される。装着部２０の下方には、回動軸２４を支点として揺動する揺動部材２３に支持される給送ローラー２２が備えられる。
【００４１】
用紙反転ユニット４０の筐体は、背面壁部４８、上部壁部４９を含んで構成される。用紙反転ユニット４０は、中間搬送駆動ローラー５０、中間搬送駆動ローラー５０の駆動回転により従動回転する従動ローラー５１，５２，５３、回動軸４４を支点として揺動する揺動部材４５、回動軸４６を支点として揺動する揺動部材４７、を含んで構成される。また、用紙反転ユニット４０は、背面壁部４８と揺動部材４５との間に設けられた壁部材４３、開閉蓋９、差込口８を構成する部材を含む。
【００４２】
用紙カセット１２に載置された用紙Ｐ１は、給送ローラー２２の駆動回転により、分離斜面２５を通り、壁部材４３と実線に示す揺動部材４５との間に形成された空間領域である搬送路Ｓ１に給送される。矢印方向に駆動回転する中間搬送駆動ローラー５０と、従動ローラー５２，５３によって挟持された用紙Ｐ１は、実線に示す揺動部材４７と中間搬送駆動ローラー５０との間の空間領域である搬送路Ｓ２を通り、上部壁部４９と、記録装置１に設けられた壁部２１との間に形成された空間領域である搬送路Ｓ３に搬送され、壁部２１の上部に形成された搬送面２１ａに沿って搬送される。
【００４３】
搬送面２１ａに沿って搬送される用紙Ｐ１は、駆動回転する搬送駆動ローラー２６と、搬送駆動ローラー２６の駆動回転により従動回転する従動ローラー２７とに挟持され、液体噴射ヘッド３と対向する位置を支持部材２８に支持されて下流側に搬送される。
【００４４】
主走査方向Ｘに往復移動する液体噴射ヘッド３によって、搬送される用紙Ｐ１にインクが噴射されて画像が記録される。用紙Ｐ１は、排出駆動ローラー２９と、排出駆動ローラー２９の駆動回転によって従動回転する従動ローラー３０とに挟持され、搬送路形成部材３１の上面に沿って下流側に搬送され、前面蓋部７が回動して形成された開口部から排出される。
【００４５】
破線に示すように開閉蓋９が背面側に回動された状態で、図２（ａ）の用紙Ｐ２が差込口８から挿入されると、破線に示すように揺動部材４７の先端部が下方に回動し、差込口８の中間搬送駆動ローラー５０側が開放される。
【００４６】
用紙Ｐ２は、駆動回転する中間搬送駆動ローラー５０と従動ローラー５３とに挟持されて搬送路Ｓ３に搬送される。そして、用紙Ｐ２は、搬送駆動ローラー２６と従動ローラー２７とによって搬送されながら、記録部１３において画像が記録され、前面蓋部７が回動して形成された開口部から排出される。
【００４７】
次に、用紙反転ユニット４０によって、用紙Ｐ１，Ｐ２が反転されて、用紙Ｐ１，Ｐ２の表面と裏面との両面に記録を行う動作について説明する。用紙カセット１２から搬送路Ｓ１，Ｓ２を通り搬送された用紙Ｐ１、差込口８から挿入された用紙Ｐ２は、中間搬送駆動ローラー５０と従動ローラー５３によって下流側に搬送される。この時点では、用紙Ｐ１，Ｐ２は、表面が上方すなわち液体噴射ヘッド３側に向いた状態で、搬送駆動ローラー２６と従動ローラー２７とによって搬送され、記録部１３において用紙Ｐ１，Ｐ２の表面に画像が記録される。
【００４８】
そして、表面に画像が記録された用紙Ｐ１，Ｐ２は、搬送駆動ローラー２６の逆回転により、副走査方向Ｙにおける上流側（以降は、上流側という）に搬送され、矢印方向に駆動回転する中間搬送駆動ローラー５０と、従動ローラー５１とによって、従動ローラー５１と揺動部材４５との間の空間領域である搬送路Ｓ４に搬送される。
【００４９】
破線に示すように、揺動部材４５は先端部が背面側に回動し、用紙Ｐ１，Ｐ２は搬送路Ｓ１に搬送される。そして、用紙Ｐ１，Ｐ２は、中間搬送駆動ローラー５０と従動ローラー５２，５３とによって搬送路Ｓ２，Ｓ３を通り搬送される。この時点における用紙Ｐ１，Ｐ２は、裏面が上方を向いた姿勢で搬送面２１ａに沿って下流側に搬送され、搬送駆動ローラー２６と従動ローラー２７とによって搬送され、記録部１３において用紙Ｐ１，Ｐ２の裏面に画像が記録される。
【００５０】
液体噴射ヘッド３の上流側には、用紙Ｐ１，Ｐ２の上流側および下流側の端部を検出する、例えば光学式の端部検出部３２が備えられる。
【００５１】
図３（ｃ）は、レンズシート給送ユニット７０の斜視図である。図５は、レンズシート給送ユニット７０を、筐体５に設けられた装着部２０に装着した状態で、記録装置１を背面側から見た外観斜視図である。装着部２０には、図３（ｃ）のレンズシート給送ユニット７０を着脱可能に備えることが可能である。
【００５２】
図３（ａ）の装着部２０には、図３（ｂ）の用紙反転ユニット４０または図３（ｃ）のレンズシート給送ユニット７０が着脱可能に装着される。すなわち、用紙反転ユニット４０とレンズシート給送ユニット７０のうちの一方が装着部２０に装着状態にあるとき、他方は装着部２０から取り外された状態にある。
【００５３】
ここで、レンズシートＬＳについて説明する。図８（ａ）は、レンズシートＬＳをレンチキュラーレンズＬＳ１側から見た図である。レンチキュラーレンズＬＳ１は、方向Ｈを長手方向とする複数のシリンドリカル凸レンズＬ（以降は、レンズＬという）が、一定のピッチＫで幅方向Ｗに並列配置された構成となっている。
【００５４】
図８（ｂ）は、方向Ｈから見たレンズシートＬＳの概略構成を示す断面図である。レンズシートＬＳは、表面に位置するレンチキュラーレンズＬＳ１と、このレンチキュラーレンズＬＳ１の裏面と接するインク吸収層ＬＳ２と、レンズシートＬＳの裏面に位置するインク透過層ＬＳ３とを具備している。レンチキュラーレンズＬＳ１においては、それぞれのレンズＬを進行する光の焦点が、レンチキュラーレンズＬＳ１の裏面に位置するように、レンズＬの曲率が形成される。
【００５５】
インク透過層ＬＳ３は、不図示のノズルから噴射されたインク滴が最初に付着する部分であり、付着したインクが透過していく部分である。このインク透過層ＬＳ３は、たとえば酸化チタン、シリカゲル、ＰＭＭＡ（メタクリル樹脂）等の微粒子、硫酸バリウム、ガラスファイバー、プラスチックファイバー等を材質として形成されている。また、インク吸収層ＬＳ２は、インク透過層ＬＳ３を透過したインクを吸収し固着させる部位である。このインク吸収層ＬＳ２は、たとえばＰＶＡ（ポリビニルアルコール）等の親水性ポリマー樹脂、カチオン化合物、シリカ等の微粒子等を材質として形成されている。また、レンチキュラーレンズＬＳ１は、ＰＥＴ、ＰＥＴＧ、ＡＰＥＴ、ＰＰ、ＰＳ、ＰＶＣ、アクリル、ＵＶ樹脂等を材質として形成されている。
【００５６】
なお、インク吸収層ＬＳ２は透明であると共に、インク透過層ＬＳ３は、白色である。しかしながら、インク吸収層ＬＳ２が白色であっても良く、またインク透過層ＬＳ３が透明であっても良く、さらにインク透過層ＬＳ３とインク吸収層ＬＳ２の両方が透明であっても良い。また、本実施例では、インク透過層ＬＳ３が存在することにより、印刷後であっても、レンズシートＬＳを直ぐに触ることが可能となっている。しかしながら、レンズシートＬＳは、インク透過層ＬＳ３を具備しない構成を採用しても良い。
【００５７】
また、図８（ａ）に示すように、本実施例におけるレンズシートＬＳは矩形状の外観を有し、レンズシートＬＳの幅方向Ｗの両端部（方向Ｈに延びる縁部）が、レンズＬの長手方向と平行となっている。
【００５８】
図６（ａ）は、レンズシート給送ユニット７０の斜視図である。レンズシート給送ユニット７０は、底部７６、底部７６の主走査方向Ｘにおける両側に設けられて上方に立設する立設部７５ａ，７５ｂを有する。
【００５９】
底部７６の上部における主走査方向Ｘにおける両側には、レンズシートＬＳの主走査方向Ｘにおける両端部の位置を規制するエッジガイド７２ａ，７２ｂが、主走査方向Ｘにスライド可能に備えられる。エッジガイド７２ａ，７２ｂは、底部７６から上方に立設するとともに、副走査方向Ｙに延在する形状である。
【００６０】
底部７６の上部には、シートガイド７１が設けられる。シートガイド７１は、エッジガイド７２ａ，７２ｂによってレンズシートＬＳの両端部が規制される主走査方向Ｘにおける最大の範囲内に設けられる。また、シートガイド７１は、底部７６の上部における副走査方向Ｙにおいては、エッジガイド７２ａ，７２ｂが設けられた範囲を除いて、前面側の端部から背面側の端部まで設けられる。
【００６１】
図６（ｂ）は、底部７６の上部に設けられたシートガイド７１の破線Ｒで示した円内の部分を拡大した図である。図６（ｃ）は、シートガイド７１と、シートガイド７１の上部に載置されたレンズシートＬＳを、副走査方向Ｙから見た断面図である。
【００６２】
図６（ｃ）のシートガイド７１は、基板７１０と複数の凸部７１１とを備えている。基板７１０は、樹脂等から形成される板状部材である。凸部７１１は、本実施形態では、レンズシートＬＳのレンチキュラーレンズＬＳ１と同一形状に形成され、図８（ｂ）のレンチキュラーレンズＬＳ１の配設ピッチＫと同一ピッチに形成される。また、凸部７１１は、図６（ｂ）に示すように、副走査方向Ｙに延びるようにして連続して形成される。
【００６３】
本実施形態では、シートガイド７１は、基板７１０にレンチキュラーレンズＬＳ１と同一部材である凸部７１１が貼付されて構成される。
【００６４】
尚、基板７１０を樹脂成形により作成する場合には、成形金型に予め凸部７１１に対応する型面を形成して、凸部７１１を基板７１０と一体に成形するようにしても良い。また、基板７１０に凸部７１１を一体に樹脂成形する場合には、基板７１０を形成する樹脂材をフッ素樹脂等の低摩擦の樹脂材とすることで、レンズシートＬＳと凸部７１１との摩擦を小さくすることができ、レンズシートＬＳの搬送を滑らかに行うことができる。また、基板７１０を金属板により形成してもよい。この場合には、金属板を切削加工することにより凸部７１１を形成することができる。
【００６５】
図６（ａ）の底部７６の上方には、回転軸７７と同軸上に設けられた給送ローラー７４が備えられる。回転軸７７は、立設部７５ａ，７５ｂに設けられた軸受け部（不図示）によって回転可能に備えられる。
【００６６】
底部７６の上方における給送ローラー７４の上流側には、押圧ローラー７３が備えられる。押圧ローラー７３は、立設部７５ａ，７５ｂに設けられた、鉛直方向Ｚの位置が変動可能な軸受け部（不図示）によって回転可能に備えられる。
【００６７】
図７は、レンズシート給送ユニット７０によりレンズシートＬＳを給送する状態を示す断面図である。図７は、用紙反転ユニット４０が装着部２０から取り外され、レンズシート給送ユニット７０が装着部２０に装着された状態にある。
【００６８】
レンズシート給送ユニット７０が装着部２０に装着された状態で、給送ローラー７４を備えた回転軸７７は、歯車などによって構成される伝達機構（不図示）によって回転駆動力を得て回転する。これにより、レンズシートＬＳは、シートガイド７１上をスライド移動し、下流側に給送される。
【００６９】
また、押圧ローラー７３は、シートガイド７１上をスライド移動するレンズシートＬＳを押圧した状態で回転する。これにより、図６（ｃ）のレンズシートＬＳのレンチキュラーレンズＬＳ１と、シートガイド７１の凸部７１１との嵌合状態が維持されるので、シートガイド７１に対してレンズシートＬＳが移動することを規制する。
【００７０】
副走査方向Ｙにおいて、給送ローラー７４によって下流側に搬送されるレンズシートＬＳの上流側および下流側の端部は、端部検出部３２によって検出される。
【００７１】
さらに、レンズシートＬＳは、記録部１３において画像が記録され、前面蓋部７が回動して形成された開口部から排出される。
【００７２】
図１０は、レンズシートＬＳを搭載したトレイ８０を示す図である。レンズシートＬＳが搭載されたトレイ８０を、図６（ａ）のレンズシート給送ユニット７０によって給送するようにしてもよい。
【００７３】
トレイ８０は、鉛直方向Ｚから見た外形形状が矩形状を有し、上端面より窪んだ矩形状の凹部８１を有する。凹部８１には、レンズシートＬＳが収容される。凹部８１には、レンズシートＬＳの端部を主走査方向Ｘにおいて押圧する押圧部材８２と、レンズシートＬＳの端部を副走査方向Ｙにおいて押圧する押圧部材８３とが備えられる。これにより、レンズシートＬＳの位置がトレイ８０に対して固定される。
【００７４】
また、図７に示すように、用紙反転ユニット４０が装着部２０から取り外された状態では、記録部１３の上流側が開放された状態となる。これにより、記録装置１は、筐体５の前面側から挿入されたレンズシートＬＳに対しても記録を行うことが可能である。使用者は、図４の操作パネル６、前面蓋部７を前面側にそれぞれ回動し、記録装置１の前面側が開口した状態で、レンズシートＬＳを挿入する。
【００７５】
記録装置１は、排出駆動ローラー２９、従動ローラー３０、搬送駆動ローラー２６、従動ローラー２７を用いて、レンズシートＬＳを上流側に搬送する。そして、記録装置１は、レンズシートＬＳを下流側に搬送しながら、記録部１３によってレンズシートＬＳに記録を行う。レンズシートＬＳを上流側に搬送するときに、記録部１３によってレンズシートＬＳに記録を行うようにしてもよい。
【００７６】
用紙Ｐ１，Ｐ２は、第１の被記録媒体である。第１の被記録媒体は、紙材などの柔軟な部材で構成されたものであり、第１の被記録媒体が湾曲した搬送経路を通ることにより、湾曲した搬送経路で停止したり、損傷を受けることがない。
【００７７】
レンズシートＬＳは、第２の被記録媒体である。第２の被記録媒体は、樹脂や金属などの部材を含んで構成されたものである。また、厚い紙材で構成されたものも第２の被記録媒体に含まれる。第２の被記録媒体は、第１の被記録媒体より剛性が高い。
【００７８】
用紙反転ユニット４０は、第１搬送装置を構成する。図４の用紙反転ユニット４０には、中間搬送駆動ローラー５０の外周側に、搬送路Ｓ１，Ｓ２，Ｓ４によって湾曲した湾曲反転経路が設けられる。
【００７９】
レンズシート給送ユニット７０は、第２搬送装置を構成する。図７のレンズシート給送ユニット７０には、壁部２１の搬送面２１ａに沿って直線状に搬送する直線搬送経路が設けられる。
【００８０】
以上、本実施形態で説明した記録装置１は、装置本体としての筐体５と、筐体５の内部に設けられ、用紙Ｐ１，Ｐ２、用紙Ｐ１，Ｐ２より剛性の高いレンズシートＬＳに記録する記録部１３と、搬送装置（用紙反転ユニット４０、レンズシート給送ユニット７０）を装着する装着部２０と、用紙Ｐ１を収容する第１の被記録媒体収容部としての用紙カセット１２と、用紙カセット１２から送り出された用紙Ｐ１を湾曲反転させて記録部１３へ案内する湾曲反転経路を有し、前記湾曲反転経路の構成部材がユニット化され、装着部２０に着脱可能に備えられる第１搬送装置としての用紙反転ユニット４０と、を備える。そして、装着部２０には、レンズシートＬＳを直線搬送可能な第２搬送装置としてのレンズシート給送ユニット７０が装着され、レンズシートＬＳを記録部１３によって記録を行う。
【００８１】
この構成によれば、記録装置１は、大型化することなく、用紙Ｐ１，Ｐ２および用紙Ｐ１，Ｐ２より剛性の高いレンズシートＬＳを搬送させることができる。
【００８２】
また、レンズシート給送ユニット７０は、図１０のレンズシートＬＳを載置するトレイ８０を搬送する。これにより、トレイ８０に載置された状態で搬送することによってレンズシートＬＳの位置が変動することを抑制できる。
【００８３】
また、装置前面または背面のいずれか一方からレンズシートＬＳを搬送可能である。これにより、レンズシートＬＳを筐体５の外側から内部に給送する方向において、使用者にとっての選択肢が増える。
【００８４】
また、記録部１３に設けられて、液体としてのインクを噴射する液体噴射ヘッド３と、液体噴射ヘッド３と対向する位置に、レンズシートＬＳまたはトレイ８０を支持する支持面を有する支持部材２８と、を備え、レンズシート給送ユニット７０の装着時において、レンズシート給送ユニット７０の搬送面（シートガイド７１によって構成される搬送面）と、支持部材２８の支持面とは略同一面で形成される。
【００８５】
これにより、レンズシートＬＳは曲げられることなく搬送されるので、レンズシートＬＳが損傷したり、搬送面や支持面で停止することがない。
【００８６】
また、レンズシート給送ユニット７０は、レンズシートＬＳまたはトレイ８０を押圧する押圧ローラー７３を備える。
【００８７】
これによれば、図６（ｃ）のレンズシートＬＳのレンチキュラーレンズＬＳ１と、シートガイド７１の凸部７１１との嵌合状態が維持されるので、シートガイド７１に対してレンズシートＬＳが移動することを抑制できる。
【００８８】
また、レンズシート給送ユニット７０は、レンズシートＬＳを搬送する搬送駆動ローラーとしての給送ローラー７４を備える。これにより、レンズシートＬＳを記録部１３側に搬送することができる。
【００８９】
また、給送ローラー７４は、用紙Ｐ１，Ｐ２を搬送する駆動力によって、駆動される。これにより、給送ローラー７４を駆動するための駆動力を発生する駆動機構を別に設けなくてもよいので、記録装置１が大型化することを抑制できる。
【００９０】
また、レンズシート給送ユニット７０は、レンズシートＬＳの搬送方向と交わる方向（主走査方向Ｘ）の端部の位置を規制するとともに、レンズシートＬＳの搬送方向をガイドするガイド部としてのエッジガイド７２ａ，７２ｂを備える。これにより、レンズシートＬＳに形成される画像品質の低下を抑制できる。
【００９１】
また、レンズシート給送ユニット７０は、図６（ｂ）のシートガイド７１を備え、シートガイド７１は、レンズシートＬＳの搬送方向と交わる方向（主走査方向Ｘ）において、レンズシートＬＳのレンズＬによって形成される凹凸部と嵌合する嵌合部としての複数の凸部７１１を備える。この構成により、主走査方向ＸにおけるレンズシートＬＳの位置を定めることができる。
【００９２】
また、用紙反転ユニット４０は、被記録面が反転された姿勢の用紙Ｐ１，Ｐ２を搬送する。これにより、用紙反転ユニット４０を用いて、用紙Ｐ１，Ｐ２の被記録面を反転させることができる。
【００９３】
また、レンズシートＬＳは、視差変化による立体視可能な画像を形成する構成を備える。これにより、記録装置１によって、視差変化による立体視可能な画像をレンズシートＬＳに形成することができる。
【００９４】
また、用紙反転ユニット４０は、用紙Ｐ２を傾斜した姿勢で収容する、第２の被記録媒体収容部としての差込口８を上部に設け、差込口８から記録部１３へ用紙Ｐ２を搬送する搬送経路を備える。
【００９５】
この構成によれば、用紙Ｐ２を記録部１３に給送する手段において、使用者にとっての選択肢が増えるとともに、記録装置１が大型化することを抑制できる。
【００９６】
本実施形態の図４の記録装置１は、記録部１３の上流側に、用紙Ｐ１，Ｐ２の搬送経路が交差する部分（搬送路Ｓ３）が設けられたが、本発明は、用紙の搬送経路が交差する部分を、記録部の下流側に設けた記録装置にも適用する。
【００９７】
図９は、主走査方向から見た図で、用紙の搬送経路が交差する部分を、記録部の下流側に設けた記録装置１２０の概略構成を示す図である。記録装置１２０には、内側壁部１０２と外側壁部１０１との間に湾曲経路が構成された用紙反転部１００が備えられる。また、主走査方向に往復移動するキャリッジ１１２に備えられた液体噴射ヘッド１１３を含んで構成される記録部の下流側に、用紙の搬送経路が交差する部分Ｃ（破線の円内）が設けられる。用紙の搬送経路が交差する部分Ｃには、軸１１８を支点として揺動する揺動部材１１７が設けられる。
【００９８】
液体噴射ヘッド１１３の上流側には、ローラー１０３，１０４のうちの一方を駆動ローラーとし他方を従動ローラーとするローラー対１０５が備えられる。液体噴射ヘッド１１３の下流側には、ローラー１０６，１０７のうちの一方を駆動ローラーとし他方を従動ローラーとするローラー対１０８、ローラー１０９，１１０のうちの一方を駆動ローラーとし他方を従動ローラーとするローラー対１１１が備えられる。
【００９９】
実線矢印Ａ１，Ａ２に示すように、用紙が、用紙反転部１００を通り、ローラー対１０５，１０８によって、搬送面を構成する部材１１４に沿って下流側（図面右側）に搬送される。搬送される用紙は、液体噴射ヘッド１１３と対向する位置において一方の被記録面に画像が形成される。
【０１００】
実線矢印Ａ３に示すように、用紙は、揺動部材１１７が実線に示した回動位置にあって搬送経路が開放された状態にあるので、ローラー対１１１によって、搬送面を構成する部材１１５に沿って下流側に搬送される。
【０１０１】
そして、用紙は、ローラー対１１１の逆回転によって、上流側（図面左側）に搬送される。このとき、揺動部材１１７が破線に示した位置に回動し、部材１１４側の搬送経路が閉じ、部材１１６側の搬送経路が開放されることにより、破線矢印Ｂ１に示すように、用紙は、搬送面を構成する部材１１６に沿って搬送される。そして、用紙は、再び用紙反転部１００の湾曲経路を通り、液体噴射ヘッド１１３と対向する位置を通り、他方の被記録面に画像が形成される。
【符号の説明】
【０１０２】
１，１２０…記録装置、５…筐体、８…差込口、１２…用紙カセット、１３…記録部、２０…装着部、２８…支持部材、４０…用紙反転ユニット、７０…レンズシート給送ユニット、７１…シートガイド、７２ａ，７２ｂ…エッジガイド、７３…押圧ローラー、７４…給送ローラー、７７…回転軸、８０…トレイ、８２，８３…ガイド部材、７１１…凸部、Ｐ１，Ｐ２…用紙、Ｓ１，Ｓ２，Ｓ３，Ｓ４…搬送路、ＬＳ…レンズシート。
【図１】
2015120319.tif 000003
【図２】
2015120319.tif 000004
【図３】
2015120319.tif 000005
【図４】
2015120319.tif 000006
【図５】
2015120319.tif 000007
【図６】
2015120319.tif 000008
【図７】
2015120319.tif 000009
【図８】
2015120319.tif 000010
【図９】
2015120319.tif 000011
【図１０】
2015120319.tif 000012